(57)【特許請求の範囲】
【請求項１】
立った姿勢の複数のディスクを所定のピッチおきに支持可能な高さの山形の複数の壁と、複数つらなる前記山形の壁を互いにつなげるための底壁と、この底壁における前記山形の壁とは反対側に突出するフックとを有する成形品を成形するための金型であって、前記フックを成形するための空間を有するとともに、前記山形の複数の壁を成形するためのそれぞれ複数の第１および第２のインサートを交互に有し、これら第１および第２のインサートは、それぞれ独立に離型動作を行うことができるように構成されて、いずれか一方のインサートが離型動作を行った後に他方のインサートが離型動作を行えるように構成されていることを特徴とする成形金型。
【発明の詳細な説明】
【０００１】
【発明の属する技術分野】
本発明は成形金型に関し、特にディスクを数多くストックするのに有効なディスク用オートチェンジャーを構成する成形品を成形するための成形金型に関するものである。
【０００２】
【従来の技術】
近年、ディスク用オートチェンジャーを備えたオーディオ関連商品が出てきており、その中で５０枚や１００枚のディスクを収容可能な大容量のものも出てきている。
【０００３】
このような大容量オートチェンジャーにおける従来のディスクストッカーは、図７〜図９に示すようなものである。すなわち、従来のディスクストッカー１４は、ディスクＤを支持するための多数の三日月状の壁１０と、これらの壁１０どうしををつなぐための壁１０のまわりの肉厚部１１と、アンダーカットリブ１３Ａを持つ両側面の壁１３とが樹脂により一体に成形された構成となっている。１５はワイヤー線で、ディスクストッカー１４からディスクＤの径方向に距離をおいた位置に設けられることで、ディスクＤの１点を支持可能である。このワイヤー線１５とディスクストッカー１４とによってディスクＤが保持される。
【０００４】
図１０は、上述の図７〜図９に示されたディスクストッカー１４を成形するための成形金型を示す。図９に示すように壁１０は１°の抜き勾配を有し、図１０の成形金型は、この抜き勾配を有する壁１０を形成するキャビインサート１６と、つなぎの肉厚部１１を形成するコアインサート１７と、側面の壁１３のアンダーカット部を形成するスライドインサート１８とを備えている。
【０００５】
【発明が解決しようとする課題】
このような従来のディスクストッカー１４およびその成形金型では、その成形後に、深いリブ状の壁１０を固定側金型のキャビインサート１６から抜かなければならない。このため壁１０は上述の抜き勾配を有するが、この壁１０における片側の面の抜き勾配は、金型の折れ残り変形があるため、上記のように１°は必要である。そのため、ディスクストック空間と抜き勾配の寸法とにより、壁１０の高さは最大で３０ｍｍ、壁１０と壁１０とのピッチは最小で３．４ｍｍがそれぞれ限界である。
【０００６】
また、このような従来のディスクストッカー１４では、上述のようにその壁１０の高さが最大で３０ｍｍしかなく、しかも三日月形のディスクストッカー１４と定位置のワイヤー線１５とによって一定の寸法のディスクＤしか保持できないため、たとえば１２ｃｍと８ｃｍなどのサイズの異なる複数種類のディスクをストックすることはできない。
【０００７】
本発明は、上記課題を解決するもので、狭ピッチのディスクチェンジャーのストッカー部分の成形を離型対策用の余分な肉厚をつけることなく可能とするとともに、８ｃｍと１２ｃｍなどのサイズの異なる複数種類のディスクをストック可能とすることを目的とする。
【０００８】
【課題を解決するための手段】
この目的を達成するため本発明は、底壁における山形の壁とは反対側に突出するフックを成形するための空間を有するとともに、山形の複数の壁を成形するためのそれぞれ複数の第１および第２のインサートを交互に有し、これら第１および第２のインサートは、それぞれ独立に離型動作を行うことができるように構成されて、いずれか一方のインサートが離型動作を行った後に他方のインサートが離型動作を行えるように構成されているようにしたものである。
【０００９】
これにより、いずれか一方のインサートの離型動作によってその後の離型抵抗が半減され、フックのアンダーカットにもとづく引張り方向の離型によって、山形の壁の全体が離型されることになり、したがって狭いピッチ間隔でディスク支持用の山形の高い壁が成形されることになる。
【００１０】
【発明の実施の形態】
請求項１記載の本発明は、立った姿勢の複数のディスクを所定のピッチおきに支持可能な高さの山形の複数の壁と、複数つらなる前記山形の壁を互いにつなげるための底壁と、この底壁における前記山形の壁とは反対側に突出するフックとを有する成形品を成形するための金型が、前記フックを成形するための空間を有するとともに、前記山形の複数の壁を成形するためのそれぞれ複数の第１および第２のインサートを交互に有し、これら第１および第２のインサートは、それぞれ独立に離型動作を行うことができるように構成されて、いずれか一方のインサートが離型動作を行った後に他方のインサートが離型動作を行えるように構成されているようにしたものである。
【００１１】
これにより、ディスクを支持可能な山形の壁を２つのインサートで形成したうえで、いずれか一方のインサートを１枚おきに先に離型するため、離型抵抗が半減し、金型が開く時にフック形状側に成形品が引き抜かれることになる。
【００１６】
図１〜図３は、本発明にもとづく樹脂成形品としてのデイスクストッカー２１を示す。このディスクストッカー２１は、ディスク１９、２０を支持するための多数の山形の壁１を有する。この多数の山形の壁１は、片側の抜き勾配が０．３７°、最大高さが４２ｍｍであるとともに、３ｍｍピッチで３２枚つらなるディスク１９、２０を支持可能とされている。このディスクストッカー２１において、２、２は各壁１どうしをつなぐ一対の底板状の壁である。これらの底板状の壁２は、各ディスク１９、２０を円周上の２点で支持するための突部２２、２２を有する。壁２、２どうしの間には、突部２２、２２で支持されたディスク１９、２０の下端部を通すための穴部２３が形成されている。山形の壁１は、穴部２３を通って下方に突出する突出部２４を一体に有し、この突出部２４は、穴部２３を通ったディスク１９、２０の下端部を支持可能である。
【００１７】
壁２、２における山形の壁１とは反対側の部分には、Ｌ字状のフック３、３が互いに向かい合わせ状態で設けられている。これらのフック３、３は、ディスク１９、２０の支持列の方向に７個ずつが設けられている。これらのフック３、３は、後述のように金型の離型の際に山形の壁１、１を離型させるために必要なものである。このため、できるだけ数多く設けられるのが好適である。
【００１８】
図４および図５は、図１〜図３のデイスクストッカー２１を成形するための金型を示す。ここで４、５はキャビインサートで、多数の山形の壁１を一定ピッチで形成するためのものである。キャビインサート４は長い薄板状に形成され、またキャビインサート５は短く形成されて、これらキャビインサート４、５は交互に３２枚が配置されている。また、これらキャビインサート４、５は、図示の型締め状態から、それぞれ独立に離型動作を行うことができるように構成されている。
【００１９】
これら多数のキャビインサート４、５の両側端は、ロッキングブロック７、７の力を受けるスライドインサート６、６で締め付けられる構造となっている。８はフック３を形成するためのコアインサート、９はフック３を離型させるための傾斜ピン９である。
【００２０】
このような構成において、上述のディスクストッカー２１によれば、ディスク１９、２０は、その中央部が、山形の壁１の最大の高さの所で支持され、たとえば直径８ｃｍのディスク１９と直径１２ｃｍのディスク２０とが共に同じ状態で支持される。ディスク１９、２０の引き出しは、壁１と壁１との間のスリットから、レバーにて引っ掛けることにより行う。
【００２１】
ディスクストッカー２１は、ディスク支持面を構成する多数の壁１をつなぐ底板状の壁２、２より突出しているＬ字状のフック３、３により板金に固定されることで、ディスクチェンジャーの本体に固定される。
【００２２】
次に、ディスクストッカー２１を成形した後の離型の際の金型動作について、図６を用いて説明する。
成形後の離型の際には、まず成形品としてのディスクストッカー２１がフック３の形状にもとづくアンダーカットを有することを利用して、短いキャビインサート５を残した状態で薄板状の長いキャビインサート４のみを先に抜き、これによってその後の離型抵抗を半減させる。そして、上述のフック３の形状にもとづくアンダーカットを利用して、成形品としてのディスクストッカー２１を突き出し構造を持つコアインサート８側に引張ることで、壁１の全体をキャビインサート５から離型させる。図６はこのときの状態を示す。なお、フック３は、上記のようにＬ字状であるほかに、金型の離型方向に対し１０°以上の角度をなすものであっても、同様にアンダーカットにもとづく作用を奏することができる。
【００２３】
このようにキャビインサート５を間に挟んだ１枚おきのキャビインサート４を先に抜いてその後の離型抵抗を半減させることで、金型開き時に成形品としてのディスクストッカー２１を突き出し構造をもつ型板側に残すことが可能となり、ディスクを支持する高い壁を狭いピッチ間隔で成形することが可能となる。なお、上記においてはインサート４を先に動作させるものについて説明したが、逆にインサート５を先に動作させた場合も同様に実施可能である。
【００２４】
【発明の効果】
以上のように本発明によると、山形の複数の壁を成形するためのそれぞれ複数の第１および第２のインサートを交互に有して、これら第１および第２のインサートを、それぞれ独立に離型動作を行うことができるように構成して、いずれか一方のインサートが離型動作を行った後に他方のインサートが離型動作を行えるように構成したため、いずれか一方のインサートの離型動作によってその後の離型抵抗を半減でき、フックのアンダーカットにもとづく引張り方向の離型によって山形の壁の全体を離型できることになり、したがって狭いピッチ間隔でディスク支持用の山形の高い壁を成形することが可能となるため、ディスクを安定して支持でき、このためたとえばストッカー部分のみの小スペース空間におさまるディスクチェンジャーのストッカー部品などを提供できる。
【図面の簡単な説明】
【図１】本発明の実施の形態の成形品としてのディスクストッカーの側面図である。
【図２】同ディスクストッカーの正面図である。
【図３】同ディスクストッカーの底面図である。
【図４】同ディスクストッカーを射出成形するための本発明の実施の形態の成形金型の正面図である。
【図５】同成形金型の側面図である。
【図６】同成形金型の型開き状態を示す正面図である。
【図７】従来の成形品としてのディスクストッカーの側面図である。
【図８】同ディスクストッカーの正面図である。
【図９】図７におけるＡ−Ａ線に沿った断面図である。
【図１０】図７〜図９に示されるディスクストッカーを成形するための従来の成形金型の正面図である。
【符号の説明】
１    壁
２    壁
３    フック
４    キャビインサート
５    キャビインサート
８    コアインサート
１９    ディスク
２０    ディスク
２１    ディスクストッカー
【図１】
0003698527.tif 000002
【図２】
0003698527.tif 000003
【図３】
0003698527.tif 000004
【図４】
0003698527.tif 000005
【図５】
0003698527.tif 000006
【図６】
0003698527.tif 000007
【図７】
0003698527.tif 000008
【図８】
0003698527.tif 000009
【図９】
0003698527.tif 000010
【図１０】
0003698527.tif 000011